(57)【要約】  【課題】  受信映像信号または光ディスクからの再生映像信号のＮＴＳＣ信号をアップスキャンしてＲＧＢ信号に変換しパソコン側に送出することにより、そのディスプレイに高解像度の映像を表示させることができるアップスキャンコンバータを備えたディスク装置を提供する。  【解決手段】  テレビ放送用ＮＴＳＣ方式の映像信号および音声信号を光ディスク２に記録する記録系、前記光ディスクの記録情報を再生する再生系からなるディスク装置１において、前記ＮＴＳＣ信号をパーソナルコンピュータ４のディスプレイ４ａに対応したＲＧＢ方式の映像信号に変換して出力するアップスキャンコンバータ１４を装置本体に内蔵し、この装置本体に前記パーソナルコンピュータ４が接続されるＲＧＢ信号出力端子１７を設け、前記アップスキャンコンバータ１４の入力側に前記ＮＴＳＣ信号または前記光ディスク２からの再生ＮＴＳＣ信号を導入してＲＧＢ信号に変換させ、このＲＧＢ信号を前記ＲＧＢ信号出力端子１７に送出する。【選択図】      図  １
2007214709.tif 000002
【特許請求の範囲】
【請求項１】
テレビ放送用ＮＴＳＣ方式の映像信号および音声信号を光ディスクに記録する記録系、前記光ディスクの記録情報を再生する再生系からなるディスク装置において、
前記ＮＴＳＣ信号をパーソナルコンピュータのディスプレイに対応したＲＧＢ方式の映像信号に変換して出力するアップスキャンコンバータを装置本体に内蔵し、この装置本体に前記パーソナルコンピュータが接続されるＲＧＢ信号出力端子を設け、前記アップスキャンコンバータの入力側に前記ＮＴＳＣ信号または前記光ディスクからの再生ＮＴＳＣ信号を導入してＲＧＢ信号に変換させ、このＲＧＢ信号を前記ＲＧＢ信号出力端子に送出するアップスキャンコンバータを備えたディスク装置。
【請求項２】
入力端にテレビ放送の受信信号、前記光ディスクの再生信号および前記ＲＧＢ信号が導かれ、出力端には前記ＲＧＢ信号出力端子とテレビ受信機の接続されるＡＶ信号出力端子とが接続され、指令信号に応じて前記受信信号または再生信号を前記ＡＶ信号出力端子側に伝送する一方、前記ＲＧＢ信号を前記ＲＧＢ信号出力端子側に伝送する出力制御部と、
前記受信信号および前記再生信号を受けて予め設定されたジャンルの映像信号か否かを判別するジャンル判別手段と、
このジャンル判別手段からのジャンル情報を受けて予め設定されたジャンルであるとき、前記出力制御部を制御し、前記アップスキャンコンバータで変換されるＲＧＢ信号を前記ＲＧＢ信号出力端子に伝送させる制御手段と、を設けたことを特徴とする請求項１に記載のアップスキャンコンバータを備えたディスク装置。
【請求項３】
前記受信信号を受けてＥＰＧ方式の電子番組情報を抽出するＥＰＧ抽出手段を備え、
このＥＰＧ抽出手段からの電子番組情報を受けて予め設定された番組やジャンルであるとき、前記制御手段が前記出力制御部を制御し、前記アップスキャンコンバータで変換されるＲＧＢ信号を前記ＲＧＢ信号出力端子に伝送させることを特徴とする請求項１または２に記載のアップスキャンコンバータを備えたディスク装置。
【発明の詳細な説明】
【技術分野】
【０００１】
本発明は、テレビジョン放送用のＮＴＳＣ信号をパーソナルコンピュータ（パソコン）のディスプレイに対応したＲＧＢ信号に変換力するアップスキャンコンバータを備えたディスク装置に関する。
【背景技術】
【０００２】
方式の異なる映像信号を変換して、他のＡＶ機器でも画像を見られるようにする装置が各種提案されており、その一例として、スキャンコンバータを内蔵したマトリックススイッチが知られている（例えば、特許文献１参照）。
【０００３】
このものは、出力側に各種規格のディスプレイ装置が接続され、入力側からＮＴＳＣ方式の画像信号やＲＧＢ方式の画像信号が入力される場合、まず、切換回路を入力画像信号が対応するスキャンコンバータの入力端子に接続されるように設定する。
【０００４】
そして、出力側に接続されるディスプレイ装置の規格等に対応させ、スキャンコンバータの読み出しタイミング、画像調整パラメータ等を設定する。
【０００５】
これにより、従来のように入力画像信号の方式や出力側に接続されるディスプレイ装置の規格に合わせてスキャンコンバータを用意する必要がない、というものである。
【特許文献１】特開２００４−１３４９６３号公報  また、遠隔のテレビ受信機からのコマンドやポインティングデバイス入力データをパソコンで認識される入力フォーマットにより、このパソコンに接続することを目的としたコンピュータインターフェース拡張システム及び方法が提案されている（例えば、特許文献２参照）。
【０００６】
このシステムは、コンピュータとテレビ受信機との間で信号を伝送し、少なくともビデオディスプレイの一部をテレビ受信機側でビデオディスプレイとして現れるようにする送信機と、前記テレビディスプレイを変化させるため、コンピュータに伝送するための入力信号を受信するユーザー入力装置への接続のための入力インターフェース・エクステンダと、を備えて構成されている。
【０００７】
これにより、スキャンコンバータをテレビ受信機の場所に配置することができる。このため、パソコンのユーザーインターフェースを遠隔のテレビ受信機の場所まで拡張して、パソコンにより生成されたビデオ及びオーディオ信号を遠隔のテレビ受信機で見たり、聞いたりすることができる。
【０００８】
また、テレビ設置場所のユーザーがテレビ受信機に位置する入力装置を介してパソコンの動作を制御することが可能になるというものである。
【特許文献２】特表２００１−５０５６８３号公報また、異なる映像方式にける信号変換を位置調整を適正に行うことで遂行する映像方式変換用位置調整回路が提案されている（例えば、特許文献３参照）。
【０００９】
このものは、変換処理部によりＶＧＡ信号から変換されたＮＴＳＣ信号について、ＮＴＳＣ処理用クロックにより位相制御を行う位相制御装置を設けるとともに、この位相制御装置に同期調整回路を設けている。
【００１０】
そして、この同期調整回路にＶＧＡ方式における同期信号を導入することにより、ＶＧＡ信号処理部の信号処理動作を行うＶＧＡ処理用クロック信号を生成するためのＶＧＡ位相制御信号とＮＴＳＣ信号処理部の信号処理動作を行うＮＴＳＣ信号処理用クロック信号を生成するためのＮＴＳＣ位相制御信号を導出する構成になっている。
【００１１】
これにより、第１の映像方式であるＮＴＳＣ信号と第２の映像方式であるＮＴＳＣ信号といった異なる映像方式にける信号変換について、位置調整を適正に行うことにより的確に遂行することができる。
【００１２】
よって、同期信号の周期が異なるためにデータの途中で位相が制御され、映像フォーマット変換後のデータの位相が合わない問題を解消し得るというものである。
【特許文献３】特開２０００−３５０１６７号公報  さらに、パソコンのマルチディスプレイとテレビゲーム機との接続を可能にすることを目的としたテレビゲーム機用映像信号変換装置が知られている。
【００１３】
この装置は、テレビゲーム機用映像出力に接続可能な入力端子と、パソコンのディスプレイの映像入力に接続可能な出力端子とを備えている。
【００１４】
また、ＮＴＳＣ方式のインターレス走査をノンインターレス走査にすべく、テレビゲーム機用映像信号の垂直走査周波数と水平走査周波数のうちの水平走査周波数のみを２倍にして、１フィールド当たりの走査線数を２倍にする倍速変換回路を設けている。
【００１５】
これにより、テレビゲーム機をパソコンのディスプレイに接続するだけで、テレビゲーム機の映像をパソコン用の高精度なディスプレイに映し出し、アナログＲＧＢモニタの特徴を生かした解像度の高い映像を見ることが可能になるというものである。  
【特許文献４】特開平１０−２０８２５号公報
【発明の開示】
【発明が解決しようとする課題】
【００１６】
ところで、上記特許文献１のスキャンコンバータを内蔵したマトリックススイッチは、入力画像信号についてスキャンコンバータの読み出しタイミング、画像調整パラメータ等を設定して出力することから、ディスプレイ装置の規格に合わせてスキャンコンバータを用意する必要はないが、ＤＶＤレコーダのように光ディスクに記録するテレビ放送のＮＴＳＣ信号をディスプレイ装置の規格に合わせてＲＧＢ信号に変換する構成を有しておらず、テレビ放送をパソコンのディスプレイで高画質に表示するといったことはできなかった。
【００１７】
また、特許文献２のコンピュータインターフェース拡張システム及び方法は、パソコンにより生成されたビデオ及びオーディオ信号を遠隔のテレビ受信機で見たり聞いたりできるが、この逆にビデオ信号をパソコンに送出してディスプレイに映像を表示する構成となっていないので、テレビ放送をパソコンのディスプレイで見ることはできなかった。
【００１８】
また、特許文献３の映像方式変換用位置調整回路は、異なる映像方式における信号変換について、位置調整を適正に行うことにより的確に遂行し、同期信号の周期が異なるためにデータの途中で位相が制御され、映像フォーマット変換後のデータの位相が合わない問題を解消するものであるが、テレビ放送のＮＴＳＣ信号をディスプレイ装置の規格に合わせてＲＧＢ信号に変換することは想定しておらず、テレビ放送をパソコンのディスプレイで表示するといったことはできなかった。
【００１９】
また、特許文献４のテレビゲーム機用映像信号変換装置は、テレビゲーム機をパソコンのディスプレイに接続するだけで、テレビゲーム機の映像をパソコン用の高精度なディスプレイに映し出し、アナログＲＧＢモニタの特徴を生かした解像度の高い映像を見ることはできるが、前述のようにＤＶＤレコーダにパソコンを接続してテレビ放送をパソコンのディスプレイで高画質に表示する構成ではなく、利用範囲に一定の限界があった。
【００２０】
本発明は、上記課題に鑑みてなされたもので、受信映像信号または光ディスクからの再生映像信号のＮＴＳＣ信号をアップスキャンしてＲＧＢ信号に変換しパソコン側に送出することにより、そのディスプレイに高解像度の映像を表示させることができるアップスキャンコンバータを備えたディスク装置を提供することを目的としている。              
【課題を解決するための手段】
【００２１】
上記目的を達成するため本発明は、テレビ放送用ＮＴＳＣ方式の映像信号および音声信号を光ディスクに記録する記録系、前記光ディスクの記録情報を再生する再生系からなるディスク装置において、前記ＮＴＳＣ信号をパーソナルコンピュータのディスプレイに対応したＲＧＢ方式の映像信号に変換して出力するアップスキャンコンバータを装置本体に内蔵し、この装置本体に前記パーソナルコンピュータが接続されるＲＧＢ信号出力端子を設け、前記アップスキャンコンバータの入力側に前記ＮＴＳＣ信号または前記光ディスクからの再生ＮＴＳＣ信号を導入してＲＧＢ信号に変換させ、このＲＧＢ信号を前記ＲＧＢ信号出力端子に送出するアップスキャンコンバータを備えたことを特徴としている。
【００２２】
また、本発明は、入力端にテレビ放送の受信信号、前記光ディスクの再生信号および前記ＲＧＢ信号が導かれ、出力端には前記ＲＧＢ信号出力端子とテレビ受信機の接続されるＡＶ信号出力端子とが接続され、指令信号に応じて前記受信信号または再生信号を前記ＡＶ信号出力端子側に伝送する一方、前記ＲＧＢ信号を前記ＲＧＢ信号出力端子側に伝送する出力制御部と、前記受信信号および前記再生信号を受けて予め設定されたジャンルの映像信号か否かを判別するジャンル判別手段と、このジャンル判別手段からのジャンル情報を受けて予め設定されたジャンルであるとき、前記出力制御部を制御し、前記アップスキャンコンバータで変換されるＲＧＢ信号を前記ＲＧＢ信号出力端子に伝送させる制御手段と、を設けたことを特徴としている。
【００２３】
また、本発明は、前記受信信号を受けてＥＰＧ方式の電子番組情報を抽出するＥＰＧ抽出手段を備え、このＥＰＧ抽出手段からの電子番組情報を受けて予め設定された番組やジャンルであるとき、前記制御手段が前記出力制御部を制御し、前記アップスキャンコンバータで変換されるＲＧＢ信号を前記ＲＧＢ信号出力端子に伝送させることを特徴としている。
【発明の効果】
【００２４】
以上説明したように、本発明によるディスク装置は、装置本体に内蔵したアップスキャンコンバータの入力側にＮＴＳＣ信号または光ディスクからの再生ＮＴＳＣ信号を導入してＲＧＢ信号に変換させ、このＲＧＢ信号を前記ＲＧＢ信号出力端子に送出するので、パーソナルコンピュータのディスプレイにテレビ放送の番組等を高解像度の映像で表示させることができる効果がある。
【００２５】
また、ジャンル判別手段からのジャンル情報を受けて予め設定されたジャンルであるとき、前記出力制御部を制御し、前記アップスキャンコンバータで変換されるＲＧＢ信号を前記ＲＧＢ信号出力端子に伝送させるので、ユーザーの好みや高画質が望ましいジャンル等を高解像度で見ることができる利点がある。
【００２６】
また、ＥＰＧ抽出手段からの電子番組情報を受けて予め設定された番組やジャンルであるとき、前記アップスキャンコンバータで変換されるＲＧＢ信号を前記ＲＧＢ信号出力端子に伝送させるので、ユーザーの好みや高画質が望ましい番組およびジャンル等を高解像度で見ることができる利点がある。
【発明を実施するための最良の形態】
【００２７】
以下、本発明に係るアップスキャンコンバータを備えたディスク装置の実施形態について、図面を参照しながら詳述する。
【００２８】
図１は本発明の一実施形態であるアップスキャンコンバータを備えたディスク装置の概要説明図である。
【００２９】
このディスク装置１は、ＤＶＤレコーダであって、装置本体内にアップスキャンコンバータ１２の回路各部を組込んでおり、出力制御部６を介してテレビジョン受像機（テレビ：ＴＶ）３およびパーソナルコンピュータ（パソコン：ＰＣ）４が接続されるようになっている。
【００３０】
このＤＶＤレコーダ１は、普及型と同じくテレビ放送を受信し記録系がＤＶＤ２に映像・音声信号（ＡＶ信号）を記録し、またこの記録信号を再生系が再生する構成になっている。
【００３１】
図１において、５はアンテナであり、受信電波を受信部６に送出する。この受信部６は、チューナ等を備えており、受信信号または選局信号をＥＰＧデコード部７、記録部９、映像信号抽出部１２および出力制御部１５に伝送する。
【００３２】
ＥＰＧデコード部７は、受信信号から電子番組表の情報を抽出するもので、ＥＰＧ記憶部８に電子番組情報を記憶させる。
【００３３】
このＥＰＧ記憶部８は、制御部２０の読み出し指令に応じて電子番組情報を出力する。
【００３４】
記録部９は、ＤＶＤ２に前記テレビ放送の受信信号をディジタルのＡＶ信号で記録する。このＤＶＤ２の記録信号は、再生部１０により再生され、ジャンル判別部１１、映像信号抽出部１２および出力制御部１５に送出する。
【００３５】
ジャンル判別部１１は、映画、音楽、スポーツ、アニメ、トークといったジャンルを判別するもので、ＤＶＤ２の再生情報が入力したとき、各ジャンルを示すジャンル情報を制御部２０に出力する。
【００３６】
なお、このジャンル情報については、各ジャンルがコードでＤＶＤ２のＴＯＣエリヤに記録されている。
【００３７】
映像信号抽出部１２は、受信部６からの受信信号または再生部１０よりの再生信号を受けて映像信号のみ抽出し、ＮＴＳＣ（National Television System Committee）信号をビデオドライバ１３に送出する。
【００３８】
このビデオドライバ１３は、映像信号のＹ／Ｃ信号を後述のアップスキャンコンバータ１４に出力する。
【００３９】
出力制御部１５は、切換回路を備えており、入力端に受信部６、再生部１０およびアップスキャンコンバータ１４の各出力が導かれている。また、出力端は外部接続端子であるＡＶ信号出力端子１６と、ＲＧＢ信号出力端子１７とに接続されている。そして、端子１６側にテレビ３が、端子１７側にパソコン４がそれぞれ接続されている。
【００４０】
この出力制御部１５には、制御部１５の制御信号が導かれており、その切換制御信号に応じて、受信部６、再生部１０またはアップスキャンコンバータ１４からの出力信号をテレビ３および／またはパソコン４側に伝送する。
【００４１】
１８はリモコンであり、ＤＶＤレコーダ１およびテレビ３を遠隔操作する各種機能キーを備えている。
【００４２】
また、入力切換キーを有しており、押下げする毎に切換指令を出力し、出力制御部１５の切換回路を動作させるようになっている。
【００４３】
さらに、メニューキー、設定キー、登録キーを備えており、パソコン４のモニタ４ａで映画、スポーツ、アニメおよび放送番組等を高画質で表示させるために、これらのキーで設定、登録できるようになっている。
【００４４】
このリモコン１８は、何れかのキーを入力操作すると、赤外線信号が送信される。１９は受信部であり、リモコン１８からの赤外線信号を受けて制御部２０に受信信号を伝送する。
【００４５】
この制御部２０は、装置全体の動作を制御するマイクロコンピュータであって、前記回路各部とその機能に応じて一方向または双方向性に接続されている。
【００４６】
また、この制御部２０はメモリを備えており、ユーザーが設定する映画、スポーツ、アニメ等の各ジャンルのコードデータを記憶可能となっている。なお、このメモリは、ユーザーが登録する放送番組のデータをも記憶する。
【００４７】
この制御部２０は、リモコン１８からの指令に従い、記録系、再生系を制御して録画、再生動作を制御するとともに、出力制御部１５を制御して映像・音声信号をテレビ３に伝送したり、映像信号のみをパソコン４側に伝送する制御を行う。
【００４８】
リモコン１８から切換指令が入力すると、出力制御部１５を制御してＤＶＤレコーダ１（ビデオ）、テレビ３、パソコン４の何れかに切換える。また、リモコン１８の操作に応じてテレビ放送の受信信号を回路各部に伝送し、放送番組をＤＶＤ２に録画させたり、テレビ３および／またはパソコン４の画面に表示させる制御を行う。
【００４９】
なお、この信号伝送条件や映像表示条件等は、予め設定され前記内蔵メモリに記憶されている。
【００５０】
図２はアップスキャンコンバータの電気的構成を示すブロック線図である。
【００５１】
このアップスキャンコンバータ１４は、走査変換器であり、テレビ放送のＮＴＳＣ信号を周波数の異なるＲＧＢ信号に変換し、パソコン４のモニタ４ａでもテレビ放送の映像を表示可能としている。
【００５２】
すなわち、映像信号のＮＴＳＣ信号は、Ｙ（輝度）信号とＣ（色）信号および同期信号が１つの信号に重畳されたものである。
【００５３】
一方、ＲＧＢ信号は、ＲＧＢの各信号と水平および垂直同期信号からなっており、ＮＴＳＣ信号とは互換性がない。
【００５４】
よって、ＤＶＤレコーダ１で録画するテレビ放送の映像をパソコン４のモニタ４ａ側でも表示させる場合には、ＮＴＳＣ信号をＲＧＢ信号に変換し、パソコン４側に送出しなければならない。
【００５５】
本例のＤＶＤレコーダ１は、ビデオドライバ１３を介してアップスキャンコンバータ１４に接続されており、映像信号のＮＴＳＣ信号をビデオドライバ１３に与えてＹ信号とＣ信号とに分け、ＮＴＳＣ／ＲＧＢ変換回路２１に送出する。
【００５６】
このＮＴＳＣ／ＲＧＢ変換回路２１は、ＮＴＳＣ信号の水平走査周波数および垂直走査周波数のうち、水平走査周波数を２倍に変換し、ＲＧＢ信号としてＡ／Ｄ変換回路２２に出力する。
【００５７】
ここで、ＮＴＳＣ信号における１フィールドの映像の水平走査線は５２５本、６０Ｈｚのインターレス方式の信号である。一方、ＲＧＢ信号は、水平走査線５２５本、６０Ｈｚのノンインターレス方式の信号である。
【００５８】
そこで、このＮＴＳＣ／ＲＧＢ変換回路２２は、１ライン分の信号が走査されるべきところを倍の周波数で２ライン分を走査することにより倍速変換を行う構成になっている。
【００５９】
これにより、インターレス走査がノンインターレス走査に変換されて、垂直方向の画素密度が上がり、モニタ４ａ側で高解像度の映像を表示可能となる。
【００６０】
また、このＮＴＳＣ／ＲＧＢ変換回路２２は、入力信号のうち同期信号を同期分離回路２５に送出する。
【００６１】
この同期分離回路２５は、ＮＴＳＣに同期する同期信号を水平同期信号ＨＤと垂直同期信号ＶＤとに分けて、読み込みタイミング発生回路２６に送出する。
【００６２】
この読み込みタイミング発生回路２６は、ＮＴＳＣに同期する読み込みタイミングで、水平同期信号ＨＤと垂直同期信号ＶＤとを前記Ａ／Ｄ変換回路２２に供給する。
【００６３】
このＡ／Ｄ変換回路２２は、アナログのＲＧＢ信号をディジタル信号に変換し、バッファメモリ２３に出力する。
【００６４】
このバッファメモリ２３は、ディジタル信号を一時記憶するもので、読み出しタイミング発生回路２７の出力が導かれている。
【００６５】
この読み出しタイミング発生回路２７は、アップスキャンコンバータ１４の出力側に接続されるモニタ４ａの映像信号と同期したタイミングでバッファメモリ２３に蓄積されたディジタル信号をＤ／Ａ変換回路２４に送出させる。
【００６６】
また、この読み出しタイミング発生回路２７は、水平同期信号ＨＤをＨＤ信号出力端子に、垂直同期信号ＶＤをＶＤ信号出力端子にそれぞれ出力するようになっている。
【００６７】
前記Ｄ／Ａ変換回路２４は、ディジタルのＲＧＢ信号をアナログのＲＧＢ信号に変換してＲＧＢ信号出力端子１７に送出する。
【００６８】
このＲＧＢ信号出力端子１７、前記ＨＤ信号出力端子およびＶＤ信号出力端子には、パソコン４が接続される。
【００６９】
次に、上記ディスク装置の動作について、図を参照しつつ説明する。
【００７０】
このＤＶＤレコーダ１は、ユーザーがリモコン１８の入力切換キーを操作すると、制御部２０が出力制御部１５を制御してＤＶＤレコーダ１、テレビ３、パソコン４の何れかに切換える。
【００７１】
制御部２０は、この切換え指令に応じてＡＶ信号や表示制御信号をテレビ３側に送出する。テレビ３側の制御部は、これに応じて画面に現在の選択状態を表示させる。
【００７２】
まず、ユーザーがテレビ３で放送番組を見たい場合、リモコン１８の操作でテレビ３側に切換えると、テレビ放送の受信信号が出力制御部１５に直接伝送されて、ＡＶ信号出力端子１６からテレビ３側に送出される。
【００７３】
よって、ユーザーがリモコン１８でチャンネルを選択すれば、所望の放送を視聴することができる。
【００７４】
つぎに、ユーザーがパソコン４側でテレビの放送番組を見たい場合は、リモコン１８の操作でパソコン４側に切換える。
【００７５】
制御部２０は、これに応じて受信信号の導かれたＥＰＧデコード部７を動作させる。
【００７６】
このＥＰＧデコード部７は、受信信号から電子番組表の情報を抽出し、ＥＰＧ記憶部８に電子番組情報を記憶させる。
【００７７】
制御部２０は、電子番組情報が予め登録された放送番組やジャンルであるか否かを判別し、登録に該当したときは映像信号抽出部１２を動作させる。
【００７８】
すると、この映像信号抽出部１２は、受信信号から映像信号のみを抽出し、ビデオドライバ１３に出力する。このビデオドライバ１３は、映像信号のＮＴＳＣ信号をアップスキャンコンバータ１４に送出する。
【００７９】
このアップスキャンコンバータ１４は、ＮＴＳＣ信号をＲＧＢ信号に変換し、水平同期信号ＨＤおよび垂直同期信号ＶＤとともに出力制御部１５、ＲＧＢ信号出力端子１７を介してパソコン４側に送出する。
【００８０】
このパソコン４のモニタ４ａでは、倍速されたノンインターレス走査となるため、垂直方向の画素密度が上がり、高解像度の映像が表示される。
【００８１】
なお、ユーザーが音声を聴きたいときは、テレビ３をオンにしておき、スピーカから音声を放音させる。この際、テレビ３の画面３ａが気になれば、ブルーバックにしておけばよい。
【００８２】
これにより、パソコン４のモニタ４ａで高画質の放送映像を見ながら、テレビ３の音声を聴くことができる。
【００８３】
また、受信信号が記録部９側にも伝送されているので、ユーザーがリモコン１８でビデオ側に切換え、録画操作を行うと、ＤＶＤ２に放送番組を録画することができる。
【００８４】
この後、ユーザーがパソコン４のモニタ４ａで映像を見たい場合、ＤＶＤ２の再生映像であると、リモコン１８で再生操作を行う。すると、再生部１０の動作に伴って、再生信号がジャンル判別部１１、映像信号抽出部１２および出力制御部１５に送出される。
【００８５】
この再生信号を受けたジャンル判別部１１は、当該再生信号のジャンル情報を制御部２０に送出する。
【００８６】
この制御部２０は、予め設定されたジャンルでなければ、出力制御部１５を介して再生信号をパソコン４およびテレビ３側に送出させる。
【００８７】
よって、モニタ４ａの画面では、通常レベルの解像度で映像を見ることができる。なお、テレビ３側にも再生信号が送出されているので、テレビ３のスピーカから音声が放音される。
【００８８】
一方、制御部２０が予め設定されたジャンルを示す情報を受けると、映像信号抽出部１２を動作させる。
【００８９】
この映像信号抽出部１２は、再生信号から映像信号のみを抽出し、ビデオドライバ１３に出力する。このビデオドライバ１３は、映像信号のＮＴＳＣ信号をアップスキャンコンバータ１４に送出する。
【００９０】
このアップスキャンコンバータ１４は、ＮＴＳＣ信号をＲＧＢ信号に変換し、水平同期信号ＨＤおよび垂直同期信号ＶＤとともに出力制御部１５を介してパソコン４側に送出する。
【００９１】
このパソコン４のモニタ４ａでは、倍速されたノンインターレス走査となるため、垂直方向の画素密度が上がり、高解像度の映像が表示される。
【００９２】
なお、ユーザーが音声を聴きたいときは、テレビ３をオンにしておき、スピーカから音声を放音させる。この際、テレビ３の画面が気になれば、ブルーバックにしておけばよい。
【００９３】
これにより、ユーザーは、モニタ４ａに映し出される高解像度の再生映像を見ることができる。
【００９４】
ところで、ユーザーが任意に放送番組を選択してモニタ４ａに表示させることもできる。
【００９５】
このときは、リモコン１８でパソコン４側に切換える。このリモコン１８の指令に応じて、制御部２０が前記ＥＰＧ記憶部８から電子番組情報を読み出し、出力制御部１５を介してテレビ３側に送出する。よって、テレビ３の画面に電子番組表が表示される。
【００９６】
ここで、ユーザーがリモコン１８の操作により、高画質で見たい放送番組を選択すると、そのチャンネルの受信信号を出力させる。また、映像信号抽出部１２を動作させる。
【００９７】
すると、この映像信号抽出部１２は、受信信号から映像信号のみを抽出し、ビデオドライバ１３に出力する。このビデオドライバ１３は、映像信号のＮＴＳＣ信号をアップスキャンコンバータ１４に送出するので、前述のようにＲＧＢ信号を出力制御部１５からＲＧＢ信号出力端子１７を介してパソコン４側に送出する。
【００９８】
よって、ユーザーは、モニタ４ａに映し出される高解像度の放送映像を見ることができる。
【００９９】
なお、本発明は上記の各実施形態に限定されず、本発明の趣旨を逸脱しない範囲で、種々の変更が可能である。
【図面の簡単な説明】
【０１００】
【図１】本発明の一実施形態であるディスク装置の電気的構成を示すブロック線図である。
【図２】アップスキャンコンバータの電気的構成を示すブロック線図である。
【符号の説明】
【０１０１】
１    ディスク装置
４    パーソナルコンピュータ
４ａ  ディスプレイ
１７  ＲＧＢ信号出力端子
【図１】
2007214709.tif 000003
【図２】
2007214709.tif 000004